(57)【要約】      （修正有）【課題】濡れた地面でも滑り難い傘や杖に設ける滑り止め部材を提供する。【解決手段】本体１と、少なくとも一以上の滑り止め手段２とを含んでなり、本体１が、一端に傘の石突か、或いは杖の末端に接続するために設けられた接続部１１と、他端に設けられた滑り止め部１２とを含んでなり、該滑り止め部１２の表面に少なくとも一以上の凸部１３が突出して設けられ、該凸部１３の表面に開口が設けられ、滑り止め手段２が、滑り止め部内部１２に埋設され、一端に接触部２１が形成され、該接触部２１が凸部１３に被服され、該凸部１３が外部から力を受けて圧迫されると、接触部２１が凸部１３の外部に露出して地面に接触して滑り止めの目的を達成する。【選択図】図２
0003151868.tif 000002
【実用新案登録請求の範囲】
【請求項１】
本体と、少なくとも一以上の滑り止め手段とを含んでなり、
該本体が、一端に傘の石突か、或いは杖の末端に接続するために設けられた接続部と、他端に設けられた滑り止め部とを含んでなり、該滑り止め部の表面に少なくとも一以上の凸部が突出して設けられ、該凸部の表面に開口が設けられ、
該滑り止め手段が、滑り止め部内部に埋設され、一端に接触部が形成され、該接触部が凸部に被覆され、該凸部が外部から力を受けて圧迫されると、接触部が凸部の外部に露出して地面に接触して滑り止めとなる傘、或いは杖の末端に設けることを特徴とする傘や杖に設ける滑り止め部材。
【請求項２】
前記本体が、弾力があり、伸縮性を具えた材料から一体に成形されることを特徴とする請求項１に記載の傘や杖に設ける滑り止め部材。
【請求項３】
前記接触部が、尖った円錐状に形成されることを特徴とする請求項1に記載の傘や杖に設ける滑り止め部材。
【請求項４】
前記接触部が、丸い円錐状に形成されることを特徴とする請求項１に記載の傘や杖に設ける滑り止め部材。
【請求項５】
前記開口が、口が裂けたような十字状に形成されることを特徴とする請求項1に記載の傘や杖に設ける滑り止め部材。
【請求項６】
前記接続部が、孔であって、該孔と傘の石突とが相互に接続して本体が傘の石突に安定して固定接続されることを特徴とする請求項１に記載の傘や杖に設ける滑り止め部材。
【請求項７】
前記接続部が、挿接部材であって、該挿接部材が傘の石突と相互に接続し、本体が傘の石突に安定して固定接続されることを特徴とする請求項１に記載の傘や杖に設ける滑り止め部材。
【請求項８】
前記接続部が、孔であって、該孔が杖の末端と相互に接続し、本体が杖に固定接続されることを特徴とする請求項１に記載の傘や杖に設ける滑り止め部材。
【請求項９】
前記接続部が、挿接部材であって、該挿接部材が杖の末端と相互に接続し、本体が杖に固定接続されることを特徴とする請求項１に記載の傘や杖に設ける滑り止め部材。
【考案の詳細な説明】
【技術分野】
【０００１】
この考案は、傘や杖に設ける滑り止め部材に関し、特に老人や足の不自由な人が歩行時に体を支えるために使用する傘や杖に設ける滑り止め部材に関する。
【背景技術】
【０００２】
従来、傘は最も広い範囲で使用されている雨具である。
【０００３】
雨天時、場所によっては雨水で路面が滑り易くなるため、脚の不自由な人や老人は走行時に、携帯している傘を杖として利用することがある。
【０００４】
即ち、傘の石突の先端部分を地面につけて体を支えて走行を補助する。
【０００５】
しかしながら、一般に傘の石突はいずれも、金属、或いはプラスチックなどの硬質の材質で形成され、表面が輝き滑り易い表面を具えているため、地面と接触する場合に傘の石突の先端部が滑る状況が発生し易い。
【０００６】
よって、傘の使用者が転ぶ、或いは転倒して怪我をするなどの状況が発生するか、或いはうまく使用できなかったため、鋭利な先端で他の歩行者を傷つけることがある。
【０００７】
また、登山に出かける場合や、比較的年長な人や、体の不自由な人が外出する場合、傘は、日除け、雨避け、或いは杖として歩行を補助するなどに利用される。
【０００８】
上述の外出時に使用者が滑りやすい路面で滑り倒れそうになった時、傘、或いは杖の地面に接触する先端部に適宜な滑り止め部材がもうけられていないと、使用者が転倒する、負傷するなどの状況が容易に発生するため、改善する必要があった。  
【考案の開示】
【考案が解決しようとする課題】
【０００９】
この考案は、濡れた地面でも滑り難い傘や杖に設ける滑り止め部材を提供することを課題とする。
【課題を解決するための手段】
【００１０】
そこで、本考案者は従来の技術に見られる欠点に鑑みて鋭意研究を重ねた結果、本体と、少なくとも一以上の滑り止め手段とを含んでなり、
該本体が、一端に傘の石突か、或いは杖の末端に接続するために設けられた接続部と、他端に設けられた滑り止め部とを含んでなり、該滑り止め部の表面に少なくとも一以上の凸部が突出して設けられ、該凸部の表面に開口が設けられ、
該滑り止め手段が、滑り止め部内部に埋設され、一端に接触部が形成され、該接触部が凸部に被服され、該凸部が外部から力を受けて圧迫されると、接触部が凸部の外部に露出して地面に接触して滑り止めとなる傘、或いは杖の末端に設ける構造からなる傘や杖に設ける滑り止め部材の構造によって課題を解決できる点に着眼し、かかる知見に基づいて本考案を完成させた。
【００１１】
以下、この考案について具体的に説明する。
請求項１に記載の傘や杖に設ける滑り止め部材は、本体と、少なくとも一以上の滑り止め手段とを含んでなり、
該本体が、一端に傘の石突か、或いは杖の末端に接続するために設けられた接続部と、他端に設けられた滑り止め部とを含んでなり、該滑り止め部の表面に少なくとも一以上の凸部が突出して設けられ、該凸部の表面に開口が設けられ、
該滑り止め手段が、滑り止め部内部に埋設され、一端に接触部が形成され、該接触部が凸部に被服され、該凸部が外部から力を受けて圧迫されると、接触部が凸部の外部に露出して地面に接触して滑り止めとなる傘、或いは杖の末端に設ける。
【００１２】
請求項２に記載の傘や杖に設ける滑り止め部材は、請求項１における本体が、弾力があり、伸縮性を具えた材料から一体に成形される。
【００１３】
請求項３に記載の傘や杖に設ける滑り止め部材は、請求項１における接触部が、尖った円錐状に形成される。
【００１４】
請求項４に記載の傘や杖に設ける滑り止め部材は、請求項１における接触部が、丸い円錐状に形成される。
【００１５】
請求項５に記載の傘や杖に設ける滑り止め部材は、請求項１における開口が、口が裂けたような十字状に形成される。
【００１６】
請求項６に記載の傘や杖に設ける滑り止め部材は、請求項１における接続部が、孔であって、該孔と傘の石突とが相互に接続して本体が傘の石突に安定して固定接続される。
【００１７】
請求項７に記載の傘や杖に設ける滑り止め部材は、請求項１における接続部が、挿接部材であって、該挿接部材が傘の石突と相互に接続し、本体が傘の石突に安定して固定接続される。
【００１８】
請求項８に記載の傘や杖に設ける滑り止め部材は、請求項１における接続部が、孔であって、該孔が杖の末端と相互に接続し、本体が杖に固定接続される。
【００１９】
請求項９に記載の傘や杖に設ける滑り止め部材は、請求項１における接続部が、挿接部材であって、該挿接部材が杖の末端と相互に接続し、本体が杖に固定接続される。
【考案の効果】
【００２０】
この考案による傘や杖に設ける滑り止め部材は、柔軟に地面と接触し、滑り難く、通常は被覆されているため先端で他人を傷つけることがないという効果を有する。
【考案を実施するための最良の形態】
【００２１】
この考案は、濡れた地面上でも滑り難い傘や杖に設ける滑り止め部材であって、本体と、少なくとも一以上の滑り止め手段とを含んでなり、該本体が、一端に傘の石突か、或いは杖の末端に接続するために設けられた接続部と、他端に設けられた滑り止め部とを含んでなり、該滑り止め部の表面に少なくとも一以上の凸部が突出して設けられ、該凸部の表面に開口が設けられ、該滑り止め手段が、滑り止め部内部に埋設され、一端に接触部が形成され、該接触部が凸部に被服され、該凸部が外部から力を受けて圧迫されると、接触部が凸部の外部に露出して地面に接触して滑り止めの目的を達成する傘、或いは杖の末端に設ける構造からなる傘や杖に設ける滑り止め部材の構造と特徴を詳述するために具体的な実施例を挙げ、図示を参照にして以下に説明する。
【実施例】
【００２２】
図１は、この考案の傘や杖に設ける滑り止め部材を示した斜視図で、図２が滑り止め部材の説明図で、図３が、傘の石突と滑り止め部材とを示した説明図である。
【００２３】
図面によれば、この考案の傘や杖に設ける滑り止め部材は、傘の石突の一端に固定して設ける。
【００２４】
該傘や杖に設ける滑り止め部材は、本体１と、滑り止め手段２とを含んでなる。
【００２５】
該本体１は、弾力があり伸縮性を具えた材料で一体に成形して形成され、傘の石突３に接続するために一端に設けられた接続部１１と、他端に設けられた滑り止め部１２とを含んでなる。
【００２６】
該接続部１１は、この実施形態において孔に形成される。傘の石突３の一端には該孔に対応する部分に挿接部材３１が形成される。
【００２７】
該本体１は、弾力があり、伸縮性を具えた材料で一体に成形されているため、傘の石突３上にスムーズに安定して固定接続することができる。
【００２８】
他端に設けられた滑り止め部１２は、表面に突出した複数の凸部１３を設けてなる。
【００２９】
該凸部１３は、この実施形態において３個設けられているが、需要に応じて５個（図５参照）設けるか、或いは他の数量に増減してもよい。
【００３０】
また、該凸部１３は、表面に開口１３１を設けてなる。該開口１３１は、この実施形態において十字に口が裂けたような形状を呈するが、該開口１３１の形状は需要に応じて適宜に調整することができる。
【００３１】
該複数の滑り止め手段２は、この実施形態において３個設けられているが、需要に応じて５個（図５参照）に増加するか、或いはその他の数量に増減してもよい。
【００３２】
該滑り止め手段２は、金属を押し圧成形して形成し、該滑り止め部１２内部に埋設する。
【００３３】
該滑り止め手段２は、一端に接触部２１が形成される。該接触部２１は、凸部１３で被覆され、該凸部１３が力を受けて圧迫されると、接触部２１が凸部１３から外部に露出して地面に接触して滑り止めの目的を達成する。
【００３４】
上述のように、該接触部２１の形状は、需要に応じて異なり、先端の尖った円錐状、或いは先の丸い円錐状（図示しない）等に形成してもよく、需要に応じて長さを比較的長く（図６参照）、或いは短く形成してもよく、接触部が地面に接触し、滑り止めの目的を達成できればよい。
【００３５】
図４は、この考案の使用状態を示した説明図である。
【００３６】
図面によれば、本体１は、弾力があり伸縮性を具えた材料（ＰＶＣ（ポリ塩化ビニル）、或いはゴム）から形成する。
【００３７】
よって、石突３の端縁部上が滑り止めと、緩衝の特性を具えてなり、雨天の走行や、或いは登山でしようすると、該本体１が直接、地面と柔軟に接触し、滑り難くなる。
【００３８】
このため、歩行者の歩行を補助するとともに、尖った先端で他の人を傷つけるなどを防ぐことができる。
【００３９】
また、歩行者が湿った地面を歩いている時に滑り、重心が傾斜して石突３に力がかかると、凸部１３の開口が力を受けた接触部２１で開かれて、尖った先端を具えた接触部２１が外部に露出して地面と接触するため、歩行者が滑るのをとどめて、転ぶことを防ぎ保護して滑り止めと歩行者の安全を保護する目的を達成する。
【００４０】
図７は、この考案の傘や杖に設ける滑り止め部材の他の実施形態を示したものである。
【００４１】
該本体１は、一端に滑り止め部１２を形成する。該滑り止め部１２は、表面に突出した５個の凸部１３を設けてなる。
【００４２】
該凸部１３は内部にそれぞれ滑り止め手段２が埋設される。該本体１の接続部１１は、傘の石突の形状に合わせて形成する接続部材か、或いは其の他接続することができる形態に形成する。
【００４３】
傘の石突３は、一端に接続部材に対応する孔３２を形成する。本体１は、弾力があり伸縮性を具えて一体に形成されているため、傘の石突３上に安定して固定接続することができる。
【００４４】
図８、図９は、この考案の傘や杖に設ける滑り止め部材を杖に設けた状態を示した説明図である。
【００４５】
図面によれば、この考案の傘や杖に設ける滑り止め部材は、杖４の末端４１に固定接続し、本体１と、滑り止め手段２とを含んでなる。
【００４６】
該本体１は、弾力があり伸縮性を具えた材料から一体に成形して形成し、一端に、杖４の末端４１に接続するために設けられた接続部１１と、他端に設けられた滑り止め部１２とを含んでなる。
【００４７】
該接続部１１は、この実施形態において挿続部材である。該接続部１１は需要に応じて杖４の末端４１の形状に合わせて孔４２（図８参照）か、或いはその他の接続できる形態に形成する。
【００４８】
該杖４の末端４１には、該接続部１１に対応する孔４２か、或いは挿接部材４３（図９参照）が形成される。
【００４９】
該本体１は、弾力があり伸縮性を具えた材料で一体に成形されるため、杖４の末端４１上にスムーズに安定して固定接続することができる。
【００５０】
他端に設けられた滑り止め部１２は、表面に突出した複数の凸部１３を設けてなる。
【００５１】
該凸部１３は、この実施形態において５個設けられているが、需要に応じて他の数量に増減してもよい。
【００５２】
また、該凸部１３は、表面に開口１３１を設けてなる。該開口１３１は、この実施形態において十字に口が裂けたような形状を呈するが、該開口１３１の形状は需要に応じて適宜に調整することができる。
【００５３】
該滑り止め手段２は、この実施形態において５個設けてなるが、需要に応じてその他の数量に増減することができ、金属を押し圧成形して形成し、該滑り止め部１２内部に埋設する。
【００５４】
該滑り止め手段２は、一端に接触部２１が形成される。該接触部２１は、凸部１３で被覆され、該凸部１３が力を受けて圧迫されると、接触部２１が凸部１３から外部に露出して地面に接触して滑り止めの目的を達成する。
【００５５】
この考案の滑り止め部材の本体１は、弾力があり伸縮性を具えた材料から形成する。
【００５６】
よって、地面と柔軟に接触して滑り難く、歩行者の歩行を補助するとともに、尖った先端や、杖の末端で他人を傷つけることを防ぎ、実用的である。
【００５７】
この考案の滑り止め部１２内部に滑り止め手段２を埋設するため、歩行者が地面で滑り、該滑り止め部１２の凸部１３に力がかかると、該滑り止め手段２の尖った端縁部が接触部２１から外部に露出して地面に接触する。
【００５８】
よって、歩行者が滑動することを防ぎ、歩行者を転倒から守り、滑り止めの目的を達成する。
【００５９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００６０】
【図１】この考案の傘や杖に設ける滑り止め部材を示した斜視図である。
【図２】図１に開示する傘や杖に設ける滑り止め部材を示した説明図である。
【図３】図１に開示する傘や杖に設ける滑り止め部材を傘に設ける状態を示した説明図である。
【図４】この考案の傘や杖に設ける滑り止め部材を使用する状態を示した説明図である。
【図５】この考案の傘や杖に設ける滑り止め部材の他の実施形態を示した斜視図である。
【図６】図５に開示する傘や杖に設ける滑り止め部材を示した説明図である。
【図７】図５に開示する傘や杖に設ける滑り止め部材を設ける状態を示した説明図である。
【図８】この考案の傘や杖に設ける滑り止め部材を杖に設ける場合を示した説明図である。
【図９】この考案の傘や杖に設ける滑り止め部材を杖に設ける場合を示した説明図である。
【符号の説明】
【００６１】
１         本体
１１       接続部
１２       滑り止め部
１３       凸部
１３１     開口
２         滑り止め手段
２１       接触部
３         石突
３１       挿接部材
３２       孔
４         杖
４１       末端
４２       孔
４３       挿接部材
【図１】
0003151868.tif 000003
【図２】
0003151868.tif 000004
【図３】
0003151868.tif 000005
【図４】
0003151868.tif 000006
【図５】
0003151868.tif 000007
【図６】
0003151868.tif 000008
【図７】
0003151868.tif 000009
【図８】
0003151868.tif 000010
【図９】
0003151868.tif 000011